【手続補正書】
【提出日】令和1年5月15日(2019.5.15)
【手続補正１】
【補正対象書類名】特許請求の範囲
【補正対象項目名】全文
【補正方法】変更
【補正の内容】
【特許請求の範囲】
【請求項１】
被処理液中に浸漬されて被処理液を固液分離する膜ろ過装置のろ過膜の洗浄方法であって、
膜間差圧が第１の所定差圧を上回った場合、第１の薬液を用いて、ろ過膜を洗浄する第１の洗浄工程を行い、
第１の洗浄工程直後の膜間差圧が第１の所定差圧よりも低い第２の所定差圧を上回った場合、上記第１の薬液よりも濃度を高くした第２の薬液により、及び／又は第１の洗浄工程よりも長い洗浄時間で、ろ過膜を洗浄する第２の洗浄工程を行い、
第２の洗浄工程を行う際、被処理液の温度に応じて、第２の薬液の濃度及び／又は第２の洗浄工程の洗浄時間を変えることを特徴とするろ過膜の洗浄方法。
【請求項２】
第２の洗浄工程直後の膜間差圧を、１回前の第２の洗浄工程直後の膜間差圧で除した値が所定比を上回った場合、第１および第２の薬液とは別の第３の薬液を用いてろ過膜を洗浄する第３の洗浄工程を行うことを特徴とする請求項１に記載のろ過膜の洗浄方法。
【請求項３】
被処理液中に浸漬されて被処理液を固液分離する膜ろ過装置のろ過膜の洗浄方法であって、
ろ過膜の透過性能が第１の透過性能を下回った場合、第１の薬液を用いて、ろ過膜を洗浄する第１の洗浄工程を行い、
第１の洗浄工程直後のろ過膜の透過性能が第１の透過性能よりも高い第２の透過性能を下回った場合、上記第１の薬液よりも濃度を高くした第２の薬液により、及び／又は第１の洗浄工程よりも長い洗浄時間で、ろ過膜を洗浄する第２の洗浄工程を行い、
第２の洗浄工程を行う際、被処理液の温度に応じて、第２の薬液の濃度及び／又は第２の洗浄工程の洗浄時間を変えることを特徴とするろ過膜の洗浄方法。
【請求項４】
第２の洗浄工程直後の透過性能を、１回前の第２の洗浄工程直後の透過性能で除した値が所定比を下回った場合、第１および第２の薬液とは別の第３の薬液を用いてろ過膜を洗浄する第３の洗浄工程を行うことを特徴とする請求項３に記載のろ過膜の洗浄方法。
【請求項５】
第２の洗浄工程を行う際、被処理液の温度が高いほど、第２の薬液の濃度を低くし、被処理液の温度が低いほど、第２の薬液の濃度を高くすることを特徴とする請求項１から請求項４のいずれか１項に記載のろ過膜の洗浄方法。
【請求項６】
第２の洗浄工程を行う際、被処理液の温度が高いほど、洗浄時間を短くし、被処理液の温度が低いほど、洗浄時間を長くすることを特徴とする請求項１から請求項４のいずれか１項に記載のろ過膜の洗浄方法。
【請求項７】
第１の薬液および第２の薬液はろ過膜に付着した有機物系の付着物を除去することを特徴とする請求項１から請求項６のいずれか１項に記載のろ過膜の洗浄方法。
【請求項８】
第３の洗浄工程を行う際、被処理液の温度が高いほど、第３の薬液の濃度を低くし、被処理液の温度が低いほど、第３の薬液の濃度を高くすることを特徴とする請求項２又は請求項４に記載のろ過膜の洗浄方法。
【請求項９】
第３の洗浄工程を行う際、被処理液の温度が高いほど洗浄時間を短くし、被処理液の温度が低いほど洗浄時間を長くすることを特徴とする請求項２又は請求項４に記載のろ過膜の洗浄方法。
【請求項１０】
第３の薬液はろ過膜に付着した無機物系の付着物を除去することを特徴とする請求項２、４、８、９のいずれか１項に記載のろ過膜の洗浄方法。
【手続補正２】
【補正対象書類名】明細書
【補正対象項目名】００１３
【補正方法】変更
【補正の内容】
【００１３】
このような第２の洗浄工程を行う際、被処理液の温度に応じて、第２の薬液の濃度及び／又は第２の洗浄工程の洗浄時間を変えることにより、被処理液の温度に応じた最適な薬液濃度及び／又は洗浄時間でろ過膜が洗浄されるため、ろ過膜の洗浄が不足したり、薬液の消費量が必要以上に増大したり、或いは洗浄時間が必要以上に長くなるのを防止することができ、ろ過膜の洗浄に要する電力やコストを節減することができる。これにより、無駄が少なく、効率の良いろ過膜の洗浄を行うことができる。
本第２発明におけるろ過膜の洗浄方法は、第２の洗浄工程直後の膜間差圧を、１回前の第２の洗浄工程直後の膜間差圧で除した値が所定比を上回った場合、第１および第２の薬液とは別の第３の薬液を用いてろ過膜を洗浄する第３の洗浄工程を行うものである。
これによると、第１および第２の薬液を用いても十分に除去できない別の性状の付着物がろ過膜に付着して増加すると、第２の洗浄工程直後の膜間差圧を、１回前の第２の洗浄工程直後の膜間差圧で除した値が所定比を上回る。この場合、第３の薬液を用いてろ過膜を洗浄する第３の洗浄工程を行うことにより、ろ過膜に付着した別の性状の付着物も十分に除去することができる。
本第３発明は、被処理液中に浸漬されて被処理液を固液分離する膜ろ過装置のろ過膜の洗浄方法であって、
ろ過膜の透過性能が第１の透過性能を下回った場合、第１の薬液を用いて、ろ過膜を洗浄する第１の洗浄工程を行い、
第１の洗浄工程直後のろ過膜の透過性能が第１の透過性能よりも高い第２の透過性能を下回った場合、上記第１の薬液よりも濃度を高くした第２の薬液により、及び／又は第１の洗浄工程よりも長い洗浄時間で、ろ過膜を洗浄する第２の洗浄工程を行い、
第２の洗浄工程を行う際、被処理液の温度に応じて、第２の薬液の濃度及び／又は第２の洗浄工程の洗浄時間を変えるものである。
本第４発明におけるろ過膜の洗浄方法は、第２の洗浄工程直後の透過性能を、１回前の第２の洗浄工程直後の透過性能で除した値が所定比を下回った場合、第１および第２の薬液とは別の第３の薬液を用いてろ過膜を洗浄する第３の洗浄工程を行うものである。
【手続補正３】
【補正対象書類名】明細書
【補正対象項目名】００１４
【補正方法】変更
【補正の内容】
【００１４】
本第５発明におけるろ過膜の洗浄方法は、第２の洗浄工程を行う際、被処理液の温度が高いほど、第２の薬液の濃度を低くし、被処理液の温度が低いほど、第２の薬液の濃度を高くするものである。
【手続補正４】
【補正対象書類名】明細書
【補正対象項目名】００１６
【補正方法】変更
【補正の内容】
【００１６】
本第６発明におけるろ過膜の洗浄方法は、第２の洗浄工程を行う際、被処理液の温度が高いほど、洗浄時間を短くし、被処理液の温度が低いほど、洗浄時間を長くするものである。
【手続補正５】
【補正対象書類名】明細書
【補正対象項目名】００１８
【補正方法】変更
【補正の内容】
【００１８】
本第７発明におけるろ過膜の洗浄方法は、第１の薬液および第２の薬液はろ過膜に付着した有機物系の付着物を除去するものである。
【手続補正６】
【補正対象書類名】明細書
【補正対象項目名】００２０
【補正方法】削除
【補正の内容】
【手続補正７】
【補正対象書類名】明細書
【補正対象項目名】００２１
【補正方法】削除
【補正の内容】
【手続補正８】
【補正対象書類名】明細書
【補正対象項目名】００２２
【補正方法】変更
【補正の内容】
【００２２】
本第８発明におけるろ過膜の洗浄方法は、第３の洗浄工程を行う際、被処理液の温度が高いほど、第３の薬液の濃度を低くし、被処理液の温度が低いほど、第３の薬液の濃度を高くするものである。
【手続補正９】
【補正対象書類名】明細書
【補正対象項目名】００２４
【補正方法】変更
【補正の内容】
【００２４】
本第９発明におけるろ過膜の洗浄方法は、第３の洗浄工程を行う際、被処理液の温度が高いほど洗浄時間を短くし、被処理液の温度が低いほど洗浄時間を長くするものである。
【手続補正１０】
【補正対象書類名】明細書
【補正対象項目名】００２６
【補正方法】変更
【補正の内容】
【００２６】
本第１０発明におけるろ過膜の洗浄方法は、第３の薬液はろ過膜に付着した無機物系の付着物を除去するものである。